(57)【要約】【課題】ユーザが指定した画像入出力ジョブが所定の状態になったことを、そのユーザが画像入出力装置から離れた場所で知ることができる画像入出力装置を提供する。【解決手段】画像入出力装置１は、所定の状態（画像入出力ジョブ終了、エラー発生等）になると報知する画像入出力ジョブをユーザに指定させる指定部（表示部９、操作部１１及びスロット２７）と、画像入出力装置１に付属している携帯可能な装置であり、前記指定部で指定された画像入出力ジョブが前記所定の状態になることに基づいて送信された無線信号ＲＳを受信することにより作動して前記ユーザに前記所定の状態を報知する報知装置３３と、を備える。【選択図】図１
2008124587.tif 000002
【特許請求の範囲】
【請求項１】
画像の入力及び出力の少なくとも一方のジョブである画像入出力ジョブを実行する画像入出力装置であって、
所定の状態になると報知する画像入出力ジョブをユーザに指定させる指定部と、
前記画像入出力装置に付属している携帯可能な装置であり、前記指定部で指定された画像入出力ジョブが前記所定の状態になることに基づいて送信された無線信号を受信することにより作動して前記ユーザに前記所定の状態を報知する報知装置と、を備える
ことを特徴とする画像入出力装置。
【請求項２】
前記報知装置が前記画像入出力装置から外された後、前記画像入出力装置のスタートキーが操作されると、この操作で開始する画像入出力ジョブが、前記所定の状態になると報知する画像入出力ジョブとして前記指定部で指定される
ことを特徴とする請求項１に記載の画像入出力装置。
【請求項３】
前記画像入出力装置が複数の画像入出力ジョブを有する期間では、それらの画像入出力ジョブの中で前記所定の状態になると報知する画像入出力ジョブを前記ユーザに前記指定部で指定させる
ことを特徴とする請求項１又は２に記載の画像入出力装置。
【請求項４】
複数の前記報知装置が備えられ、
前記指定部で画像入出力ジョブを指定する際に前記画像入出力装置から外された前記報知装置により前記所定の状態になったことを報知する
ことを特徴とする請求項１〜３のいずれか一項に記載の画像入出力装置。
【請求項５】
前記報知装置が受信待機中に、他のユーザが前記指定部で呼び出しメッセージを報知する旨の指定をした場合、この指定に基づいて送信された無線信号を前記報知装置が受信すると作動して前記ユーザに前記呼び出しメッセージを報知する
ことを特徴とする請求項１〜４のいずれか一項に記載の画像入出力装置。
【請求項６】
前記画像入出力装置が複数の画像入出力ジョブを有する期間で、かつ複数の前記報知装置が受信待機中の場合、前記呼び出しメッセージを報知する旨の指定は、前記画像入出力装置が有する複数の画像入出力ジョブの中で前記呼び出しメッセージの対象となる画像入出力ジョブを前記他のユーザに指定させることである
ことを特徴とする請求項５に記載の画像入出力装置。
【請求項７】
前記画像入出力ジョブがコピージョブ及びファクシミリの送信ジョブの少なくとも一方の場合、前記画像入出力ジョブ自体の終了及び前記画像入出力ジョブに含まれるスキャンの終了のうち、報知を希望する終了をユーザに前記指定部で指定させる
ことを特徴とする請求項１〜６のいずれか一項に記載の画像入出力装置。
【発明の詳細な説明】
【技術分野】
【０００１】
本発明は、例えば、コピー、ファクシミリ、スキャナ及びプリンタの機能を有するデジタル複合機のような画像入出力装置に関する。
【背景技術】
【０００２】
従来から、デジタル複合機と携帯型の送受信装置を組み合わせ、デジタル複合機の状態（例えばコピーの終了）を送受信装置に表示する技術が提案されている（例えば特許文献１参照）。この技術によれば、デジタル複合機から離れた場所（例えば自分の机）でコピーの終了等を知ることができる。したがって、長時間を要するジョブ（例えば大量のコピー）をデジタル複合機で実行する場合、そのジョブを実行したユーザや次にデジタル複合機を利用する他のユーザは、そのジョブが終了するのをデジタル複合機の設置場所で待つ必要がないので、大変便利である。
【特許文献１】特開平６−２０５４６９号公報
【発明の開示】
【発明が解決しようとする課題】
【０００３】
画像の入力及び出力の少なくとも一方のジョブ（例えば、コピージョブ、プリンタジョブ、スキャナジョブ、ファクシミリジョブ）を、本明細書では「画像入出力ジョブ」と称する。
【０００４】
本発明の目的は、ユーザが指定した画像入出力ジョブが所定の状態になったことを、そのユーザが画像入出力装置から離れた場所で知ることができる画像入出力装置を提供することである。
【課題を解決するための手段】
【０００５】
本発明に係る画像入出力装置は、画像の入力及び出力の少なくとも一方のジョブである画像入出力ジョブを実行する画像入出力装置であって、所定の状態になると報知する画像入出力ジョブをユーザに指定させる指定部と、前記画像入出力装置に付属している携帯可能な装置であり、前記指定部で指定された画像入出力ジョブが前記所定の状態になることに基づいて送信された無線信号を受信することにより作動して前記ユーザに前記所定の状態を報知する報知装置と、を備える。
【０００６】
本発明に係る画像入出力装置において、前記報知装置が前記画像入出力装置から外された後、前記画像入出力装置のスタートキーが操作されると、この操作で開始する画像入出力ジョブが、前記所定の状態になると報知する画像入出力ジョブとして前記指定部で指定される、ようにすることができる。この態様によれば、ユーザは面倒な操作をすることなく、画像入出力ジョブを指定することができる。
【０００７】
本発明に係る画像入出力装置において、前記画像入出力装置が複数の画像入出力ジョブを有する期間では、それらの画像入出力ジョブの中で前記所定の状態になると報知する画像入出力ジョブを前記ユーザに前記指定部で指定させる、ようにすることができる。この態様によれば、画像入出力装置が複数の画像入出力ジョブを有する期間では、ユーザが報知を希望する画像入出力ジョブについてだけ指定することができる。
【０００８】
本発明に係る画像入出力装置において、複数の前記報知装置が備えられ、前記指定部で画像入出力ジョブを指定する際に前記画像入出力装置から外された前記報知装置により前記所定の状態になったことを報知する、ようにすることができる。この態様によれば、報知装置が複数の場合、指定部で指定された画像入出力ジョブとそのジョブが所定の状態になったことを報知する報知装置とを対応させることができる。
【０００９】
本発明に係る画像入出力装置において、前記報知装置が受信待機中に、他のユーザが前記指定部で呼び出しメッセージを報知する旨の指定をした場合、この指定に基づいて送信された無線信号を前記報知装置が受信すると作動して前記ユーザに前記呼び出しメッセージを報知する、ようにすることができる。この態様によれば、画像入出力装置で画像入出力ジョブの実行中や待機中に、そのジョブを命令したユーザが画像入出力装置の設置場所にいない場合に呼び出すことができる。この態様は、他のユーザが、例えば割り込みをしたい場合に利用することができる。
【００１０】
本発明に係る画像入出力装置において、前記画像入出力装置が複数の画像入出力ジョブを有する期間で、かつ複数の前記報知装置が受信待機中の場合、前記呼び出しメッセージを報知する旨の指定は、前記画像入出力装置が有する複数の画像入出力ジョブの中で前記呼び出しメッセージの対象となる画像入出力ジョブを前記他のユーザに指定させることである、ようにすることができる。この態様によれば、画像入出力装置が複数の画像入出力ジョブを有する期間では、これらの画像入出力ジョブを命令したユーザの中で呼び出したいユーザだけを呼び出すことができる。
【００１１】
本発明に係る画像入出力装置において、前記画像入出力ジョブがコピージョブ及びファクシミリの送信ジョブの少なくとも一方の場合、前記画像入出力ジョブ自体の終了及び前記画像入出力ジョブに含まれるスキャンの終了のうち、報知を希望する終了をユーザに前記指定部で指定させる、ようにすることができる。この態様によれば、ユーザは自己に必要な報知を受けることができる。
【発明の効果】
【００１２】
本発明に係る画像入出力装置によれば、所定の状態になると報知する画像入出力ジョブをユーザに指定させ、そのユーザに画像入出力装置に付属する報知装置を携帯させ、指定された画像入出力ジョブが所定の状態になると報知装置を利用してユーザに報知する。したがって、ユーザは、自己が指定した画像入出力ジョブが所定の状態になったことを、画像入出力装置から離れた場所で知ることができる。
【発明を実施するための最良の形態】
【００１３】
本発明の実施形態について図面を用いて説明する。図１は、本実施形態に係る画像入出力装置１のハードウェア構成を示すブロック図である。画像入出力装置１は、デジタル複合機である。
【００１４】
画像入出力装置１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５、スロット２７、送信機２９等が相互にバス３１で接続された構成を有する。制御部３は、例えばＣＰＵにより実現されており、画像入出力装置１を構成する上記ハードウェアを制御すると共に画像入出力装置１の動作に必要なソフトウェアを実行する。
【００１５】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データを画像に戻し、この画像が記録された用紙を出力する。
【００１６】
表示部９は、画像入出力装置１の動作状態、相手先名、各種設定内容等を表示する。表示部９は、ＬＣＤ、ＣＲＴ等で実現される。操作部１１は、画像入出力装置１の操作に必要なキー（テンキー、スタートキー、リセットキー、各種のファンクションキー等）を備える。
【００１７】
モデム１３は、通常のファクシミリ通信用のファクシミリモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００１８】
ＲＯＭ１７は、フラッシュメモリ等により実現されており、画像入出力装置１の動作に必要なソフトウェアを記憶している。ＲＡＭ１９は、ＳＲＡＭ、ＤＲＡＭ等により実現されており、ソフトウェアの実行時に発生するデータを一時的に記憶したり、アプリケーションソフト等を記憶したりする。
【００１９】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、画像入出力装置１がＬＡＮと通信可能に接続するインターフェースである。
【００２０】
画像入出力装置１には、携帯可能な報知装置３３が付属している。後で説明するように、報知装置３３は、ユーザが指定した画像入出力ジョブが所定の状態（例えば、画像入出力ジョブ終了、エラー発生）になったことをそのユーザに報知する。報知装置３３は、通常、スロット２７に差し込まれた状態にされている（図中の実線で示す状態）。報知装置３３の電源は、一次電池でもよいし、蓄電池でもよい。蓄電池の場合、報知装置３３がスロット２７に差し込まれた状態のときに充電される。蓄電池の状態に応じて自動的に充電してもよいし、ユーザの操作により充電してもよい。
【００２１】
送信機２９は無線信号ＲＳを送信し、報知装置３３との無線通信に利用される。ＬＡＮインターフェース２５が無線ＬＡＮ対応の場合、ＬＡＮインターフェース２５に送信機２９の機能を実行させてもよい。また、送信機２９を画像入出力装置１に設けないで、ＬＡＮインターフェース２５を介して接続されている有線ＬＡＮに送信機２９を接続してもよい。
【００２２】
上記のとおり、画像の入力及び出力の少なくとも一方のジョブを、本明細書では「画像入出力ジョブ」と称している。コピージョブでは画像の入力及び出力の両方が実行され、プリンタジョブでは画像の出力が実行され、スキャナジョブでは画像の入力が実行され、ファクシミリジョブの送信ジョブでは画像の入力が実行され、ファクシミリジョブの受信ジョブでは画像の出力が実行される。
【００２３】
画像入出力ジョブは、画像入出力装置１の外部からの命令により開始する。外部からの命令とは、コピージョブ、ファクシミリジョブの送信ジョブ、スキャナジョブの場合、操作部１１のスタートキーを操作することであり、プリンタジョブの場合、パソコンに表示された印刷ジョブの画面の印刷ボタンをクリックすることであり、ファクシミリジョブの受信ジョブの場合、相手先から送信された画像データを画像入出力装置１が受信することである。
【００２４】
表示部９、操作部１１及びスロット２７よって、所定の状態になると報知する画像入出力ジョブをユーザに指定させる指定部が構成される。
【００２５】
画像入出力装置１は、ユーザが指定した画像入出力ジョブが所定の状態になると、そのユーザが携帯する報知装置３３を作動させて所定の状態になったことを報知する機能を有する。この機能について、いくつかの例を用いて説明する。
【００２６】
図２は、二つのコピージョブが画像入出力装置１で実行される場合の一例のタイムチャートである。先にコピージョブ１が開始され、コピージョブ１の実行中にコピージョブ２が開始される。ユーザが図１の操作部１１のスタートキーを押すと、コピージョブが開始する。コピージョブは、スキャンとプリントアウトにより構成される。スキャンは図１の画像読取部５で実行され、プリントアウトは図１の画像記録部７で実行される。
【００２７】
Ｄ１は、画像入出力装置１が複数の画像入出力ジョブを有する期間を示している。期間Ｄ１には、コピージョブ２の開始時刻Ｔ１とコピージョブ１の終了時刻Ｔ２は含まれない。Ｄ２は、一つの画像入出力ジョブで発生した待機期間を示している。図２の例では、コピージョブ２のスキャンが終了しても、コピージョブ１のプリントアウトが終了しなければ、コピージョブ２のプリントアウトを開始できないので、コピージョブ２に待機期間Ｄ２が発生している。したがって、コピージョブ２には、実行中の期間(スキャン中、プリントアウト中）と待機中の期間（待機期間Ｄ２）が発生する。このようなコピーは、コピー予約と称される。
【００２８】
大量のコピーをする場合、コピー終了までに長時間を要する。例えば、コピー処理速度が２８ｃｐｍの画像入出力装置１を用いて、２８頁の原稿を２０部コピーする場合、コピー終了までに約２０分を要する。本実施形態によれば、ユーザは、コピー終了等の所定の状態になると報知するコピージョブを指定することにより、画像入出力装置１から離れた場所にいても所定の状態になったことを知ることができる。画像入出力ジョブの指定は、次の二つのうちいずれかを用いる。  
【００２９】
（指定の仕方１）
指定の仕方１は、スタートキーを操作する際に用いる。ユーザは、図１に示す報知装置３３をスロット２７から抜いて（図中の点線で示す状態）、操作部１１のスタートキーを操作する。これにより、その操作で開始するコピージョブが指定される。言い換えれば、報知装置３３が画像入出力装置１から外された後、画像入出力装置１のスタートキーが操作されると、この操作で開始する画像入出力ジョブが、所定の状態になると報知する画像入出力ジョブとして指定部（図１の表示部９、操作部１１及びスロット２７）で指定される。
【００３０】
例えば、コピージョブ２の場合、時刻Ｔ１でスタートキーを操作する前に、報知装置３３をスロット２７から抜いて、時刻Ｔ１でスタートキーを操作すると、コピージョブ２が指定される。指定の仕方１によれば、ユーザは面倒な操作をすることなく、画像入出力ジョブを指定することができる。
【００３１】
（指定の仕方２）
指定の仕方２は、スタートキーの操作後に用いる。スタートキーの操作後、ユーザは、図１の表示部９に表示された画像入出力ジョブの中から指定する。例えば、画像入出力装置１がコピージョブ１だけを有する期間中の時刻Ｔ３では、表示部９に図３（ａ）の画面が表示される。画面には、「コピージョブ１（スキャン中）」と一緒に、このジョブの設定情報（枚数、部数、スタートキー操作時刻等）が表示される。ユーザは図１の操作部１１の確定キーを操作して、コピージョブ１を指定する。
【００３２】
これに対して、Ｄ１で示す画像入出力装置１がコピージョブ１，２を有する期間中の時刻Ｔ４では、表示部９において図３（ｂ）に示す画面が表示される。ユーザはコピージョブの設定情報を参照し、図１の操作部１１のカーソルキーと確定キーを操作して、コピージョブ１，２の中から所定の状態になると報知するコピージョブを指定する。言い換えれば、画像入出力装置１が複数の画像入出力ジョブを有する期間では、それらの画像入出力ジョブの中で所定の状態になると報知する画像入出力ジョブをユーザに指定させる。これによれば、（１）複数の画像入出力ジョブが並行に実行中の場合、（２）複数の画像入出力ジョブが並行して待機中の場合、（３）待機中の画像入出力ジョブと実行中の画像入出力ジョブが並行して存在する場合において、いずれの場合も、ユーザが報知を希望する画像入出力ジョブについてだけ指定することができる。なお、コピージョブ１，２の両方を指定すると、これら両方についてそれぞれ報知される。
【００３３】
図３に示す画面は、ユーザが操作部１１のキーを操作して表示するようにしてもよいし、ユーザが報知装置３３をスロット２７から抜くと表示されるようにしてもよい。
【００３４】
指定の仕方１又は指定の仕方２で指定したコピージョブが所定の状態になると、図１の送信機２９から無線信号ＲＳが送信される。すなわち、図１の制御部３、ＲＯＭ１７、ＲＡＭ１９及び送信機２９によって送信処理部が構成され、送信処理部は、上記指定部で指定された画像入出力ジョブが所定の状態になったことを判断すると、無線信号ＲＳを送信する。言い換えれば、上記指定部で指定された画像入出力ジョブが所定の状態になることに基づいて無線信号ＲＳが送信される。
【００３５】
ユーザが携帯する報知装置３３で無線信号ＲＳが受信されると、報知装置３３が作動して、指定したコピージョブが所定の状態になったことをユーザに報知する。報知の仕方としては、（１）報知装置３３のスピーカから音を鳴らしたり、報知装置３３を振動させたりしてもよいし、（２）所定の状態になったこと知らせるメッセージを報知装置３３のディスプレイに表示したり、報知装置３３のスピーカから音声で案内してもよい。（２）の場合、例えば、エラーが発生するとエラー発生が通知され、コピージョブが終了するとその終了が通知されるので、ユーザは所定の状態の内容を報知装置３３から知ることができる。
【００３６】
報知装置３３が一つの場合で説明しているが、複数でもよい。この場合、複数のユーザに所定の状態を報知することができる。具体的に説明すると、コピージョブ１，２を実行する命令をしたユーザが別々の場合、コピージョブ１を指定したユーザにはコピージョブ１が所定の状態になったことを一つの報知装置３３によって報知でき、コピージョブ２を指定したユーザにはコピージョブ２が所定の状態になったことを他の一つの報知装置３３によって報知できる。
【００３７】
報知装置３３が複数の場合、指定部（図１の表示部９、操作部１１及びスロット２７）で画像入出力ジョブを指定する際に画像入出力装置１から外された報知装置３３により所定の状態になったことを報知する。このようにすれば、報知装置３３が複数の場合、上記指定部で指定された画像入出力ジョブとそのジョブが所定の状態になったことを報知する報知装置３３とを対応させることができる。この対応関係は、報知装置３３をスロット２７に戻した時点で解除される。報知装置３３が一つの場合も同様である。
【００３８】
報知装置３３が複数の場合の指定の仕方は、以下のようになる。指定の仕方１では、スロット２７から任意の報知装置３３を抜き、そして操作部１１のスタートキーを操作すると、その任意の報知装置３３により報知される。指定の仕方２では、スロット２７から任意の報知装置３３を抜き、操作部１１を操作して画像入出力ジョブを指定すると、その画像入出力ジョブについて、その任意の報知装置３３により所定の状態になったことが報知される。
【００３９】
図４は、プリンタジョブとコピージョブが画像入出力装置１で実行される場合の一例のタイムチャートである。図４（ａ）は、先にプリンタジョブが開始され、プリンタジョブの実行中にコピージョブが開始される例を示している。図４（ｂ）は、逆に、先にコピージョブが開始され、コピージョブの実行中にプリンタジョブが開始される例を示している。
【００４０】
図５は、プリンタジョブとファクシミリジョブが画像入出力装置１で実行される場合の一例のタイムチャートである。ここでのファクシミリジョブは、送信ジョブである。図５（ａ）は、先にプリンタジョブが開始され、プリンタジョブの実行中にファクシミリジョブが開始される例を示している。図５（ｂ）は、逆に、先にファクシミリジョブが開始され、ファクシミリジョブの実行中にプリンタジョブが開始される例を示している。
【００４１】
図６は、ファクシミリジョブ、スキャナジョブ及びプリンタジョブが画像入出力装置１で実行される場合の一例のタイムチャートである。ここでのファクシミリジョブは、受信ジョブである。まず、ファクシミリジョブが開始され、ファクシミリジョブの実行中にスキャナジョブが開始され、これら二つのジョブの実行中にプリンタジョブが開始される例を示している。
【００４２】
図４〜図６に示すプリンタジョブは、パソコンに表示された印刷ジョブの画面の印刷ボタンをユーザがクリックすることにより開始する。プリンタジョブを開始するのに、操作部１１のスタートキーは操作されないので、プリンタジョブの場合、上記指定の仕方２で指定する。
【００４３】
図６に示すファクシミリジョブは受信ジョブなので、相手先から送信された画像データを画像入出力装置１が受信することによりジョブが開始する。したがって、受信ジョブの場合、画像入出力装置１のユーザが操作部１１のスタートキーを操作することなく、ファクシミリジョブが開始される。よって、ファクシミリジョブが受信ジョブの場合、プリンタジョブと同様に、上記指定の仕方２で指定する。
【００４４】
ファクシミリジョブの場合、図５に示す送信ジョブではスキャンが終了すれば、他の画像入出力ジョブのスキャンができ、図６に示す受信ジョブではプリントアウトが始まる前ならば他の画像入出力ジョブのプリントアウトができるので、期間Ｄ１に送信や受信は考慮されない。
【００４５】
図４〜図６に示す場合も図２に示す場合と同様に、指定した画像入出力ジョブが所定の状態になると、報知装置３３を利用してユーザに報知する。
【００４６】
以上説明したように、本実施形態に係る画像入出力装置１によれば、所定の状態（画像入出力ジョブ終了、エラー発生等）になると報知する画像入出力ジョブをユーザに指定させ、そのユーザに画像入出力装置１に付属する報知装置３３を携帯させ、指定された画像入出力ジョブが所定の状態になると報知装置３３を利用してユーザに報知する。したがって、ユーザは、自己の指定した画像入出力ジョブが所定の状態になったことを、画像入出力装置１から離れた場所で知ることができる。このように本実施形態によれば、ユーザは画像入出力ジョブ終了を画像入出力装置１の設置場所で待つ必要がないので、長時間を要する画像入出力ジョブを実行する場合に有用である。
【００４７】
複数の画像入出力ジョブが実行される場合を例に説明したが、一つの画像入出力ジョブだけが実行される場合でも、ユーザがそのジョブを指定することにより、そのジョブが所定の状態になったことが報知装置３３によりユーザに報知される。
【００４８】
コピージョブやファクシミリの送信ジョブでは、（１）ジョブに含まれるスキャンの終了を報知してもらいたい場合と、（２）ジョブ自体の終了を報知してもらいたい場合とがある。これを図２のコピージョブ２で説明する。コピージョブ２のスキャンが終了すると、他のユーザはコピーを開始することができるので、他のユーザはコピージョブ２に含まれるスキャンの終了の報知を希望する。一方、コピージョブ２の命令をしたユーザは、ジョブ自体の終了、つまり、コピージョブ２のプリントアウトの終了の報知を希望することもあるし、別にコピーしたいことがあればコピージョブ２に含まれるスキャンの終了の報知を希望する。
【００４９】
したがって、コピージョブやファクシミリの送信ジョブでは、ユーザが操作部１１を操作して、（１）の指定、（２）の指定又は（１）（２）の両方の指定ができるようにしてもよい。つまり、画像入出力ジョブがコピージョブ及びファクシミリの送信ジョブの少なくとも一方の場合、画像入出力ジョブ自体の終了及び画像入出力ジョブに含まれるスキャンの終了のうち、報知を希望する終了をユーザが指定部で指定できるようにする。これにより、ユーザは自己に必要な報知を受けることができる。
【００５０】
次に、他のユーザによる呼び出しメッセージの報知について、図２を用いて説明する。例えばコピージョブ１が所定の状態になると報知する指定がされると、その指定をしたユーザが携帯する報知装置３３は、送信処理部（図１の制御部３、ＲＯＭ１７、ＲＡＭ１９及び送信機２９）から送信される無線信号の受信待機中となる。この待機中の例えば時刻Ｔ３において、他のユーザがファクシミリ送信をしたい場合、スキャン中のコピージョブ１に割り込みをしなければならない。
【００５１】
そこで、他のユーザは図１の操作部１１を操作して、表示部９に図７（ａ）に示す画面を表示させ、操作部１１の確定キーを操作して、「コピージョブ１（スキャン中），２０枚，３０部，１０：４２」を指定する。これが、呼び出しメッセージを報知する旨の指定となる。この指定により、送信処理部から無線信号ＲＳが送信される。この無線信号ＲＳを報知装置３３が受信すると作動して（例えば報知装置３３のディスプレイに「呼出」と表示して）、ユーザに呼び出しメッセージを報知する。この呼び出しメッセージを受けたユーザが画像入出力装置１の設置場所に戻ることにより、そのユーザに対して他のユーザは割り込み許可を問うことができる。
【００５２】
以上のように、呼び出しメッセージの報知機能によれば、画像入出力装置１で画像入出力ジョブの実行中や待機中に、そのジョブを命令したユーザが画像入出力装置１の設置場所にいない場合に呼び出すことができる。この機能は、他のユーザが、割り込み等をしたい場合に利用することができる。
【００５３】
画像入出力装置１が複数の画像入出力ジョブを有する期間で、かつ複数の報知装置３３が受信待機中の場合は、以下のようにして呼び出しメッセージが報知される。ユーザ１によってコピージョブ１が所定の状態になると報知する指定がなされ、ユーザ２によってコピージョブ２が所定の状態になると報知する指定がされると、ユーザ１が携帯する報知装置３３及びユーザ２が携帯する報知装置３３は、それぞれ、無線信号の受信待機中となる。
【００５４】
Ｄ１で示す画像入出力装置１がコピージョブ１，２を有する期間中の例えば時刻Ｔ５において、ユーザ１，２以外の他のユーザがファクシミリ送信したい場合、スキャン中のコピージョブ２に割り込みをしなければならない。他のユーザは図１の操作部１１を操作して、表示部９に図７（ｂ）に示す画面を表示させる。そして、操作部１１のカーソルキーと確定キーを操作して、「コピージョブ２（スキャン中），１５枚，５０部，１０：４４」を指定する。言い換えれば、画像入出力装置１が有する複数の画像入出力ジョブの中で呼び出しメッセージの対象となる画像入出力ジョブを他のユーザに指定させる。これが、ユーザ２により携帯される報知装置３３への呼び出しメッセージを報知する旨の指定となる。この指定によって、送信処理部から無線信号ＲＳが送信され、ユーザ２により携帯される報知装置３３が受信すると作動してユーザ２に呼び出しメッセージを報知する。
【００５５】
このように、画像入出力装置１が複数の画像入出力ジョブを有する期間で、かつ複数の報知装置３３が受信待機中の場合、画像入出力装置１が有する複数の画像入出力ジョブの中で呼び出しメッセージの対象となる画像入出力ジョブを他のユーザに指定させている。これにより、画像入出力ジョブを命令したユーザの中で呼び出したいユーザだけを呼び出すことができる。
【図面の簡単な説明】
【００５６】
【図１】本実施形態に係る画像入出力装置のハードウェア構成の一例を示すブロック図である。
【図２】二つのコピージョブが画像入出力装置で実行される場合の一例のタイムチャートである。
【図３】本実施形態に係る画像入出力装置の表示部に表示された画像入出力ジョブの指定を促す画面の一例を示す図である。
【図４】プリンタジョブとコピージョブが画像入出力装置で実行される場合の一例のタイムチャートである。
【図５】プリンタジョブとファクシミリジョブ（送信ジョブ）が画像入出力装置で実行される場合の一例のタイムチャートである。
【図６】ファクシミリジョブ（受信ジョブ）、スキャナジョブ及びプリンタジョブが画像入出力装置で実行される場合の一例のタイムチャートである。
【図７】本実施形態に係る画像入出力装置の表示部に表示された呼び出しメッセージの報知に関する画面の一例を示す図である。
【符号の説明】
【００５７】
１・・・画像入出力装置、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・スロット、２９・・・送信機、３１・・・バス、３３・・・報知装置、Ｌ・・・公衆電話回線、ＲＳ・・・無線信号、Ｄ１・・・画像入出力装置が複数の画像入出力ジョブを有する期間、Ｄ２・・・一つの画像入出力ジョブで発生した待機期間
【図１】
2008124587.tif 000003
【図２】
2008124587.tif 000004
【図３】
2008124587.tif 000005
【図４】
2008124587.tif 000006
【図５】
2008124587.tif 000007
【図６】
2008124587.tif 000008
【図７】
2008124587.tif 000009